(57)【要約】【課題】血液、髄液、精液等体液を用いた濃縮用採取具に関し、遠心分離後にピペットの差し込みなどの後工程を経ず、得た濃縮液を直接的、かつ短時間に採取することで分離後上澄み液の再混和を招くこともなく、また遠心管の管壁に付着した上澄み液や細菌等が混入することのない体液濃縮採取具を提供する。【解決手段】濃縮用採取管支持部付きキャップ４ｂと、円板４１ｂの下方には濃縮用採取管支持部３１ｂを備え、円板４１ｂ周縁に遠心管１の外形と同形状の外側部４２ｂと遠心管１の内形と同形状の内側部４３ｂとを設るとともに、円板４１ｂの上面に段部４４を、周縁上方に立上り部４５をそれぞれ設け、シリンジ接続部３２ｂの下端に鍔部３３を設け、その鍔部３３を濃縮用採取管支持部付きキャップ４ｂの立上り部４５に嵌合させ、鍔部３３と濃縮用採取管支持部付きキャップ４ｂ上面の段部４４との間にフィルター５を挟み込ませたものとする。【選択図】      図３
2004313500.tif 000002
【特許請求の範囲】
【請求項１】
遠心管と、濃縮用採取管と、キャップとからなり、濃縮用採取管の上端にはシリンジ接続体が一体に形成されるとともに、濃縮用採取管の先端は遠心管の底にまで達する長さとなされ、濃縮用採取管が挿入された状態で遠心管の開口部にキャップが嵌合されてなる体液濃縮採取具。
【請求項２】
濃縮用採取管のシリンジ接続体とキャップとが一体化されてなる請求項１記載の体液濃縮採取具。
【請求項３】
シリンジ接続部と濃縮用採取管支持部との間にフィルターが設けられてなる請求項１、２のいずれかに記載の体液濃縮採取具。
【請求項４】
濃縮採取管の先端が丸みを帯びた形状になされた請求項１〜３のいずれか一項記載の体液濃縮採取具。
【請求項５】
濃縮用採取管が金属製の細管からなる請求項１〜４のいずれか一項記載の体液濃縮採取具。
【発明の詳細な説明】
【０００１】
【発明の属する技術分野】
本発明は血液、髄液、精液等の体液を濃縮して細胞等を採取するための器具に関し、特に濃縮精子の採取に好適な体液濃縮採取具に関する。
【０００２】
【従来の技術】
従来、体液を用いた遠心分離法として、血液から血小板を含む血漿を分離して赤血球を取り出す場合や、あるいは精子濃縮採取法としては運動精子を選択的に分離する方法としての連続または不連続密度勾配遠心法（多層Ｐｅｒｃｏｌ法，攪拌密度勾配法等）により細菌を分離した精子を得る方法が用いられている。
【０００３】
しかしかかる従来の方法は、遠心後にピペットを用いて上澄み液を除去する際、例えば血小板と赤血球のように比較的比重が近いものは作業中に混和が起こり易く再び混濁状態になったり、あるいは目的とする濃縮液を採取するピペットの先端が先に上澄み液の残液層を通過してくる段階で上澄み液や細菌等が付着したままだと濃縮液を採取するのに純粋な濃縮液が得られないなどの問題があった。
また、精子濃縮採取法の場合では精漿、密度勾配担体層の除去をピペットなどで行うため、管壁に付着した精漿、細菌等が落下、混入するという問題があった。
そこで本出願人は先に特開２０００−２８８０８２号において、遠心管の底部を細径化して遠心分離後精子が細径底部に濃縮されるようにし、分離後、遠心管内を陰圧状態に保った状態で細径底部を切断して上澄み液を流下させることなく濃縮精子を採取するための洗浄濃縮用チューブおよびその採取方法を提案した。
この洗浄濃縮用チューブおよびそれを用いる方法の採用によって、得られた濃縮液を直接的に短時間に上澄み液と完全に分離して取り出すという点で効果的であったが、細径底部を切断するという工程に作業性の点で難があり、さらに細径底部での切断が容易なように細径底部の上部に脆弱部が設けられていたが、所定通りに切断できずに割れた部分が鋭利に突出して指先に傷を付けてしまうというような事故の懸念も皆無ではなかった。
【０００４】
【特許文献１】
特開２０００−２８８０８２号公報（第３頁右、１４行〜）
【０００５】
【発明が解決しようとする課題】
本発明は、かかる従来の問題点に鑑みなされたもので、遠心分離後にピペットを差し込むような後工程を経ることをなくして分離処理後の再混和が有り得ず、得られた濃縮液を直接的にしかも短時間に採取することによって分離後の上澄み液の再混和を招く余裕を与えることなく、また遠心管の管壁に付着した上澄み液や細菌等が混入することのない濃縮体液採取具を提供するものである。
【０００６】
【課題を解決するための手段】
上記課題を解決するため、本発明濃縮体液採取具は、遠心管と、濃縮用採取管と、キャップとからなり、濃縮用採取管の上端にはシリンジ接続体が一体に形成されるとともに、濃縮用採取管の先端は遠心管の底にまで達する長さとなされ、濃縮用採取管が挿入された状態で遠心管の開口部にキャップが嵌合されてなるものである。
【０００７】
本発明によれば、あらかじめ遠心管内部に濃縮採取管を備えることによって、細菌を含む分離された上澄み液に触れることなく管底の濃縮液をシリンジにより直接的に簡単に吸引採取することができる。
【０００８】
また本発明濃縮体液採取具は、濃縮用採取管のシリンジ接続体とキャップとが一体化されてなるものである。
【０００９】
本発明によれば、濃縮体液採取具の操作性が向上する。
【００１０】
さらに本発明濃縮体液採取具は、シリンジ接続部と濃縮用採取管支持部との間にフィルターが設けられてなるものである。
【００１１】
本発明によれば、濃縮体液採取具の分離性能が向上する。
【００１２】
そしてまた本発明濃縮体液採取具は、濃縮採取管の先端が丸みを帯びた形状になされたものである。
【００１３】
本発明によれば、濃縮採取管の先端で遠心管内部をキズつけることがなくなり品質性が向上する。
【００１４】
さらにまた本発明濃縮体液採取具は、濃縮用採取管を金属製の細管で構成するものである。
【００１５】
本発明によれば、濃縮採取管の細管に力がかかっても撓んで力を逃がしガラス管のように少しの外力で割れるおそれがなく、安全性と操作性が向上する。
【００１６】
【発明の実施の形態】
以下、本発明濃縮体液採取具の一実施形態を図１を参照しながら説明する。
なお、以下本発明の効果がとりわけ著しく現れる濃縮精子採取具について説明を行うが、本発明は濃縮精子のみに限定されることなく、血液、髄液、等の体液から遠心分離法による濃縮成分抽出について広く適用が可能なものである。
【００１７】
図１において、Ａは本発明を適用した一実施形態の例の濃縮用採取具であり、遠心管１、濃縮用採取管２、シリンジ接続体３、キャップ４とからなる。
【００１８】
遠心管１はガラス、無析出プラスチックなどからなり、通常遠心分離器で使用されている底部が尖頭状のものが好適にそのまま使用される。
【００１９】
濃縮用採取管２はステンレスなどの不活性金属管からなり、遠心管１の底１１に達する長さとなされ、その濃縮用採取管２の先端は、濃縮用採取管２の管壁に対し直角や斜めなどの切断面状に加工されていてもよいが、丸みを帯びた形状に加工されていてもよい。
【００２０】
シリンジ接続体３は濃縮用採取管２を上端において支持する濃縮用採取管支持部３１と、シリンジＢの先端が嵌合されるシリンジ接続部３２とが備わった形状となされ、通常プラスチックで成形される。
【００２１】
キャップ４は遠心管１の開口部１２を覆う円板４１の周縁に遠心管１の外形と同形状となされた外側部４２、または内形と同形状となされた内側部４３、あるいは外側部４２と内側部４３との両方が設けられてなり、通常はプラスチックで一体に成形される。
【００２２】
ここで、上記実施例の濃縮体液採取具の使用方法について、まず図４により、精子の洗浄濃縮法を例にしてＰｅｒｃｏｌ法に基づいて詳述する。
なお、使用方法ステップを表す図４は、後述する図３の実施形態の例の場合について表したものであるが、図１，２の実施形態の例の場合においては用いられる濃縮用採取管２、シリンジ接続体３、キャップ４の実施形態が、一体化されたものであるかどうか、あるいはフィルター５を伴ったものであるかどうかなどを異にするものであり、使用方法のステップは同様に準じたものである。
【００２３】
遠心管１に密度勾配担体〔ここではＰｅｒｃｏｌ液〕Ｃを入れた後、シリンジ接続体３〔図４では３ｂ；フィルターを有するキャップ付きシリンジ接続体〕が上端に取着された濃縮用採取管２を挿入し、次に遠心管１のＰｅｒｃｏｌ液の上にピペット等で精液Ｄを層積する。その後、遠心管１の開口部１２にキャップ４〔ここではフィルターを有するキャップ付きシリンジ接続体３ｂが兼ねる。〕を施し、所定条件下で遠心する。遠心終了後、濃縮用採取管２のシリンジ接続体３にシリンジＢを接続し、遠心管１の底１１の濃縮精子を吸引採取する。
【００２４】
次に、図２を参照して本発明濃縮体液採取具の他の一実施形態を説明する。
【００２５】
図２において、３ａはシリンジ接続体とキャップとが一体化されたキャップ付きシリンジ接続体であり、円板４１ａを貫通してシリンジ接続部３２ａが一体に形成され、そのシリンジ接続部３２ａの下方に濃縮用採取管支持部３１ａが備わっている。また円板４１ａの周縁には遠心管１の外形と同形状となされた外側部４２ａと遠心管１の内形と同形状となされた内側部４３ａとが設けられている。
この実施形態例の濃縮用採取具も、前述の一実施形態例と同様に使用される。
【００２６】
さらに、図３を参照し本発明濃縮体液採取具のさらに他の一実施形態について説明する。
【００２７】
図３において、３ｂはフィルターを有するキャップ付きシリンジ接続体であって、シリンジ接続部３２ｂと濃縮用採取管支持部３１ｂとの間にフィルター５が設けられている。
【００２８】
４ｂは濃縮用採取管支持部付きキャップであり、円板４１ｂ下方に濃縮用採取管支持部３１ｂが備わっている。この濃縮用採取管支持部付きキャップ４ｂは、円板４１ｂの周縁に遠心管１の外形と同形状となされた外側部４２ｂと遠心管１の内形と同形状となされた内側部４３ｂとが設けられるとともに、円板４１ｂの上面には段部４４が、周縁上方には立上り部４５がそれぞれ設けられている。
【００２９】
一方、シリンジ接続部３２ｂの下端には鍔部３３が設けられており、この鍔部３３が濃縮用採取管支持部付きキャップ４ｂの立上り部４５に嵌合されて、鍔部３３と濃縮用採取管支持部付きキャップ４ｂ上面の段部４４との間にフィルター５が挟み込まれる。この実施形態例の濃縮用採取具も前記の一実施形態例と同様に使用される。
【００３０】
【発明の効果】
以上詳述したように、本発明濃縮体液採取具は、遠心管と、濃縮用採取管と、キャップとからなり、濃縮用採取管の上端にはシリンジ接続体が一体に形成されるとともに、濃縮用採取管の先端は遠心管の底まで達する長さとなされ、濃縮用採取管が挿入された状態で遠心管の開口部にキャップが嵌合されてなるもので、あらかじめ遠心管内部に濃縮採取管を備えることにより、細菌を含む分離された上澄み液に触れることなく管底の濃縮液をシリンジで直接的に簡単に吸引採取することができる。また本発明濃縮体液採取具において、濃縮用採取管のシリンジ接続体とキャップとが一体化されたものである場合には、濃縮用採取具の操作性が向上する。さらに、シリンジ接続部と濃縮用採取管支持部との間にフィルターが設けられた場合には、濃縮用採取具の分離性能が向上する。あるいはまた、本発明濃縮体液採取具の濃縮採取管の先端が丸みを帯びた形状となされた場合には、濃縮採取管の先端部で遠心管内部をキズつけることがなく品質性が向上する。
さらにはまた、本発明濃縮体液採取具において、濃縮用採取管を金属製の細管で構成させた場合には、濃縮用採取具の細管がガラス管のようにちょっとした外力で割れるおそれがなく、安全性と操作性が向上する。
【００３１】
そして本発明濃縮体液採取具においては、遠心分離後にピペットを差し込むというような後工程を経ることもなく、得られた濃縮液を直接的にしかも短時間に採取できることから、例えば血液成分のように比較的比重の近いものであっても再混和を招くことなく、また本発明濃縮体液採取具に接続されたシリンジを用い分離成分を無菌状態で採取できて、例えば活動性の高い精子にダメージを与えることなく集めることができることから濃縮精子採取法には好適に用いられ、また本発明濃縮体液採取具を用いれば容量の異なるシリンジを使いわけることにより目的とする体液成分の採取量に応じた正確な採取がなされる。
【図面の簡単な説明】
【図１】本発明に使用される濃縮用採取具の一例を示す断面図である。
【図２】本発明に使用される濃縮用採取具の他の例を示す断面図である。
【図３】本発明に使用される濃縮用採取具のさらに他の例を示す断面図である。
【図４】本発明に使用される濃縮用採取具の使用方法を説明する断面図である。
【符号の説明】
Ａ  本発明濃縮体液採取具
Ｂ  シリンジ
Ｃ  密度勾配担体〔Ｐｅｒｃｏｌ液等〕
Ｄ  精液
１  遠心管
１１  底
１２  開口部
２  濃縮用採取管
３  シリンジ接続体
３ａ  キャップ付きシリンジ接続体
３ｂ  フィルターを有するキャップ付きシリンジ接続体
３１、３１ａ、３１ｂ  濃縮用採取管支持部
３２、３２ａ、３２ｂ  シリンジ接続部
３３  鍔部
４  キャップ
４ｂ  濃縮用採取管支持部付きキャップ
４１、４１ａ、４１ｂ  円板
４２、４２ａ、４２ｂ  外側部
４３、４３ａ、４３ｂ  内側部
４４  段部
４５  立上り部
５  フィルター
【図１】
2004313500.tif 000003
【図２】
2004313500.tif 000004
【図３】
2004313500.tif 000005
【図４】
2004313500.tif 000006